(57)【要約】【課題】表示装置を備えた情報処理装置において、操作者であるユーザが正規のユーザであるかの判定と、表示オブジェクトの表示と、表示オブジェクトの表示位置や大きさの指定とを、一度の操作で容易に実行させる。【解決手段】情報処理装置（ＣＰＵ１５、ＨＤＤ１６等からなる制御装置で例示）は、表示装置（ＬＣＤパネル１１で例示）と、表示装置での表示を制御する表示制御手段と、表示装置の所定の位置にそれぞれ配設され、非接触カードに記録された識別情報を非接触で読み取る複数の通信手段（アンテナ群３０で例示）と、識別情報の読み取りを行った１又は複数の通信手段の配設位置に応じて表示オブジェクトの表示座標を決定し、決定した表示座標で表示オブジェクトの表示を行う指示を、表示制御手段に出力する表示座標指示手段とを備える。【選択図】図２
2009116166.tif 000002
【特許請求の範囲】
【請求項１】
表示装置を備えた情報処理装置であって、該表示装置での表示を制御する表示制御手段と、前記表示装置の所定の位置にそれぞれ配設され、非接触カードに記録された識別情報を非接触で読み取る複数の通信手段と、前記識別情報の読み取りを行った１又は複数の通信手段の配設位置に応じて表示オブジェクトの表示座標を決定し、該決定した表示座標で該表示オブジェクトの表示を行う指示を、前記表示制御手段に出力する表示座標指示手段とを備えたことを特徴とする情報処理装置。
【請求項２】
請求項１に記載の情報処理装置において、前記表示座標指示手段は、前記表示オブジェクトの表示座標として表示用ウインドウの表示座標を決定し、該決定した表示座標で該表示用ウインドウの表示を行う指示を、前記表示制御手段に出力することを特徴とする情報処理装置。
【請求項３】
請求項２に記載の情報処理装置において、前記表示座標指示手段は、前記複数の通信手段のうち複数で前記識別情報の読み取りが行なわれたことを検知すると、該読み取りを行った複数の通信手段の配設位置に応じて、前記表示用ウインドウの対角座標を決定し、該決定した対角座標で該表示用ウインドウの表示を行う指示を、前記表示制御手段に出力することを特徴とする情報処理装置。
【請求項４】
請求項３に記載の情報処理装置において、前記表示座標指示手段は、前記識別情報の読み取りを最初に又は前回行ってから経過した時間が所定時間に達した時点での、前記識別情報の読み取りを行った複数の通信手段の配設位置に応じて、前記表示用ウインドウの対角座標を決定することを特徴とする情報処理装置。
【請求項５】
請求項２〜４のいずれか１項に記載の情報処理装置において、前記複数の通信手段のいずれかで前記識別情報を読み取ったときに、前記非接触カードに記録されている所定のファイルをコピーするファイルコピー手段を備え、前記表示座標指示手段は、前記表示オブジェクトとして前記所定のファイルの実行画面を表示する指示を前記表示制御手段に出力することを特徴とする情報処理装置。
【請求項６】
請求項２〜４のいずれか１項に記載の情報処理装置において、複数のファイルが読み出し可能な状態で格納され、且つアプリケーションの一つとしてファイラが実行可能に組み込まれており、且つ、前記複数の通信手段のいずれか前記識別情報を読み取ったときに、該非接触カード内のメモリの所定のアドレスからファイル名を読み出し、前記ファイラを起動させて該ファイル名を渡すファイラ起動手段を備え、前記ファイラは、前記ファイル名が示すファイルにアクセスし、前記表示座標指示手段は、前記表示用ウインドウの表示座標として前記ファイラの実行画面の表示座標を決定し、該決定した表示座標で該実行画面の表示を行う指示を、前記表示制御手段に出力することを特徴とする情報処理装置。
【請求項７】
請求項２〜４のいずれか１項に記載の情報処理装置において、当該情報処理装置には複数のファイルを記憶した１又は複数台のサーバ装置がアクセス可能に接続されており、且つアプリケーションの一つとしてファイラが実行可能に組み込まれており、且つ、前記複数の通信手段のいずれか前記識別情報を読み取ったときに、該非接触カード内のメモリの所定のアドレスからサーバ装置を特定するための特定情報を読み出し、前記ファイラを起動させて該特定情報を渡すファイラ起動手段を備え、前記ファイラは、前記特定情報で特定されたサーバ装置にアクセスし、前記表示座標指示手段は、前記表示用ウインドウの表示座標として前記ファイラの実行画面の表示座標を決定し、該決定した表示座標で該実行画面の表示を行う指示を、前記表示制御手段に出力することを特徴とする情報処理装置。
【請求項８】
請求項２〜４のいずれか１項に記載の情報処理装置において、アプリケーションの一つとしてＷＥＢブラウザが実行可能に組み込まれており、且つ、前記複数の通信手段のいずれかで前記識別情報を読み取ったときに、該非接触カード内のメモリの所定のアドレスからＵＲＩを読み出し、前記ＷＥＢブラウザを起動させて該ＵＲＩを渡すブラウザ起動手段を備え、前記ＷＥＢブラウザは、前記ＵＲＩで示されるＷＥＢページにアクセスし、前記表示座標指示手段は、前記表示用ウインドウの表示座標として前記ＷＥＢブラウザの実行画面の表示座標を決定し、該決定した表示座標で該実行画面の表示を行う指示を、前記表示制御手段に出力することを特徴とする情報処理装置。
【請求項９】
請求項８に記載の情報処理装置において、前記ＷＥＢブラウザは、前記ＵＲＩで示されるＷＥＢページの閲覧に際しユーザを識別するためのユーザ識別情報を必要とし、前記ブラウザ起動手段は、前記非接触カード内のメモリの他の所定のアドレスから、前記ユーザ識別情報を読み出し、前記ＷＥＢブラウザに渡し、前記ＷＥＢブラウザは、前記ＵＲＩで示されるＷＥＢページに前記ユーザ識別情報を与えることを特徴とする情報処理装置。
【請求項１０】
請求項１に記載の情報処理装置において、前記複数の通信手段のいずれかで前記識別情報を読み取ったときに、所定のファイルを生成するファイル生成手段を備え、前記表示座標指示手段は、前記表示オブジェクトとして前記所定のファイルのアイコンを表示する指示を前記表示制御手段に出力することを特徴とする情報処理装置。
【請求項１１】
請求項１に記載の情報処理装置において、前記複数の通信手段のいずれかで前記識別情報を読み取ったときに、前記非接触カードに記録されている所定のファイルをコピーするファイルコピー手段を備え、前記表示座標指示手段は、前記表示オブジェクトとして前記所定のファイルのアイコンを表示する指示を前記表示制御手段に出力することを特徴とする情報処理装置。
【請求項１２】
請求項１０又は１１に記載の情報処理装置において、前記表示座標指示手段は、前記識別情報の読み取りを最初に又は前回行ってから経過した時間が所定時間に達した時点での、前記識別情報の読み取りを最後に行った通信手段の配設位置に応じて、前記アイコンの表示座標を決定することを特徴とする情報処理装置。
【請求項１３】
請求項１〜１２のいずれか１項に記載の情報処理装置において、前記複数の通信手段のいずれかで前記識別情報を読み取ったときに、まず前記非接触カードに記録されている設定情報を読み出す設定情報読出手段を備え、前記表示座標指示手段は、前記設定情報読出手段で読み出された設定情報に基づいて、前記表示オブジェクトを決定することを特徴とする情報処理装置。
【請求項１４】
請求項１〜１３のいずれか１項に記載の情報処理装置において、前記複数の通信手段のいずれかによって前記識別情報が読み取られたときに、該読み取られた識別情報を認証する認証手段を備え、前記表示座標指示手段は、前記認証手段で認証が成功した場合のみ、前記表示制御手段への指示を出力することを特徴とする情報処理装置。
【請求項１５】
請求項１４に記載の情報処理装置において、前記認証手段は、前記識別情報の読み取りを行った通信手段に依らず共通の認証方式を用いることを特徴とする情報処理装置。
【発明の詳細な説明】
【技術分野】
【０００１】
本発明は、表示装置を備えた情報処理装置に関する。
【背景技術】
【０００２】
パーソナルコンピュータ（ＰＣ）などの情報処理装置には、それを操作するためのキーボードやポインティングデバイスといった操作装置が具備され、同じく具備された表示装置に表示した情報等に対してユーザ操作が可能となっている。
【０００３】
また、特許文献１には、非接触方式のＩＣ（Integrated Circuit）カード用のアンテナを複数設け、ＩＣカードとの通信がいずれのアンテナで行なわれたかに応じて、ＩＣカードに記憶された複数の情報の中から一つの情報を入力し、表示部に表示する非接触ＩＣカード端末装置が開示されている。
【特許文献１】特開２０００−２５１０２７公報
【発明の開示】
【発明が解決しようとする課題】
【０００４】
上述のごとく従来の情報処理装置においてはキーボードやマウスを用いて表示装置に表示した情報に対して操作を行うが、装置ユーザであるかの判定又はより厳格なユーザ認証を伴い且つ１つの装置を複数人で利用する場合、ユーザが変わる度に上記判定又はユーザ認証を行う必要があり、円滑な操作の妨げになっていた。
【０００５】
さらに、近年の表示装置の大画面化に伴い、ユーザによって或いはユーザの表示装置に対する立ち位置によって表示オブジェクトを表示したい位置が異なることがある。このような場面として、例えば会議でのプレゼンテーションに大型の表示装置をもつ情報処理装置が使用される場合などが挙げられる。
【０００６】
しかしながら、従来の情報処理装置では、ユーザが表示したい位置に表示オブジェクトを表示するためには、一度表示オブジェクトを表示する操作だけでなくその表示後の表示オブジェクトに対して表示位置や表示の大きさを変更する操作が必要となり、操作性が良いとは言えない。なお、特許文献１に記載の端末装置では、ＩＣカードとの通信がいずれのアンテナで行われたかに応じて、ＩＣカード内の複数の情報から一つが選ばれて表示部に表示されるが、その表示位置や表示の大きさは、どの情報が選択されても同じである。
【０００７】
また、一度表示した表示オブジェクトを再度表示させる場合には以前の表示位置や大きさを記憶しておき、それを読み出すことで実行することはできる。しかしながら、複数のユーザが入れ替わり利用する情報処理装置においては、この技術は表示オブジェクト毎にユーザ毎の以前の表示位置や大きさを記憶しておかなければならない。また、大画面の表示装置をもつ情報処理装置においては、同じ表示オブジェクトを同じ位置に表示したい場面が多いとは言えないため、この技術は有効であるとは言えない。
【０００８】
本発明は、上述のごとき実状に鑑みてなされたものであり、表示装置を備えた情報処理装置において、操作者であるユーザが正規のユーザであるかの判定と、表示オブジェクトの表示と、表示オブジェクトの表示位置や大きさの指定とを、一度の操作で容易に実行させることを、その目的とする。
【課題を解決するための手段】
【０００９】
上述のごとき課題を解決するために、本発明の第１の技術手段は、表示装置を備えた情報処理装置であって、該表示装置での表示を制御する表示制御手段と、前記表示装置の所定の位置にそれぞれ配設され、非接触カードに記録された識別情報を非接触で読み取る複数の通信手段と、前記識別情報の読み取りを行った１又は複数の通信手段の配設位置に応じて表示オブジェクトの表示座標を決定し、該決定した表示座標で該表示オブジェクトの表示を行う指示を、前記表示制御手段に出力する表示座標指示手段とを備えたことを特徴としたものである。
【００１０】
第２の技術手段は、第１の技術手段において、前記表示座標指示手段は、前記表示オブジェクトの表示座標として表示用ウインドウの表示座標を決定し、該決定した表示座標で該表示用ウインドウの表示を行う指示を、前記表示制御手段に出力することを特徴としたものである。
【００１１】
第３の技術手段は、第２の技術手段において、前記表示座標指示手段は、前記複数の通信手段のうち複数で前記識別情報の読み取りが行なわれたことを検知すると、該読み取りを行った複数の通信手段の配設位置に応じて、前記表示用ウインドウの対角座標を決定し、該決定した対角座標で該表示用ウインドウの表示を行う指示を、前記表示制御手段に出力することを特徴としたものである。
【００１２】
第４の技術手段は、第３の技術手段において、前記表示座標指示手段は、前記識別情報の読み取りを最初に又は前回行ってから経過した時間が所定時間に達した時点での、前記識別情報の読み取りを行った複数の通信手段の配設位置に応じて、前記表示用ウインドウの対角座標を決定することを特徴としたものである。
【００１３】
第５の技術手段は、第２〜第４のいずれかの技術手段において、前記複数の通信手段のいずれかで前記識別情報を読み取ったときに、前記非接触カードに記録されている所定のファイルをコピーするファイルコピー手段を備え、前記表示座標指示手段は、前記表示オブジェクトとして前記所定のファイルの実行画面を表示する指示を前記表示制御手段に出力することを特徴としたものである。
【００１４】
第６の技術手段は、第２〜第４のいずれかの技術手段において、複数のファイルが読み出し可能な状態で格納され、且つアプリケーションの一つとしてファイラが実行可能に組み込まれており、且つ、前記複数の通信手段のいずれか前記識別情報を読み取ったときに、該非接触カード内のメモリの所定のアドレスからファイル名を読み出し、前記ファイラを起動させて該ファイル名を渡すファイラ起動手段を備え、前記ファイラは、前記ファイル名が示すファイルにアクセスし、前記表示座標指示手段は、前記表示用ウインドウの表示座標として前記ファイラの実行画面の表示座標を決定し、該決定した表示座標で該実行画面の表示を行う指示を、前記表示制御手段に出力することを特徴としたものである。
【００１５】
第７の技術手段は、第２〜第４のいずれかの技術手段において、当該情報処理装置には複数のファイルを記憶した１又は複数台のサーバ装置がアクセス可能に接続されており、且つアプリケーションの一つとしてファイラが実行可能に組み込まれており、且つ、前記複数の通信手段のいずれか前記識別情報を読み取ったときに、該非接触カード内のメモリの所定のアドレスからサーバ装置を特定するための特定情報を読み出し、前記ファイラを起動させて該特定情報を渡すファイラ起動手段を備え、前記ファイラは、前記特定情報で特定されたサーバ装置にアクセスし、前記表示座標指示手段は、前記表示用ウインドウの表示座標として前記ファイラの実行画面の表示座標を決定し、該決定した表示座標で該実行画面の表示を行う指示を、前記表示制御手段に出力することを特徴としたものである。
【００１６】
第８の技術手段は、第２〜第４のいずれかの技術手段において、アプリケーションの一つとしてＷＥＢブラウザが実行可能に組み込まれており、且つ、前記複数の通信手段のいずれかで前記識別情報を読み取ったときに、該非接触カード内のメモリの所定のアドレスからＵＲＩを読み出し、前記ＷＥＢブラウザを起動させて該ＵＲＩを渡すブラウザ起動手段を備え、前記ＷＥＢブラウザは、前記ＵＲＩで示されるＷＥＢページにアクセスし、前記表示座標指示手段は、前記表示用ウインドウの表示座標として前記ＷＥＢブラウザの実行画面の表示座標を決定し、該決定した表示座標で該実行画面の表示を行う指示を、前記表示制御手段に出力することを特徴としたものである。
【００１７】
第９の技術手段は、第８の技術手段において、前記ＷＥＢブラウザは、前記ＵＲＩで示されるＷＥＢページの閲覧に際しユーザを識別するためのユーザ識別情報を必要とし、前記ブラウザ起動手段は、前記非接触カード内のメモリの他の所定のアドレスから、前記ユーザ識別情報を読み出し、前記ＷＥＢブラウザに渡し、前記ＷＥＢブラウザは、前記ＵＲＩで示されるＷＥＢページに前記ユーザ識別情報を与えることを特徴としたものである。
【００１８】
第１０の技術手段は、第１の技術手段において、前記複数の通信手段のいずれかで前記識別情報を読み取ったときに、所定のファイルを生成するファイル生成手段を備え、前記表示座標指示手段は、前記表示オブジェクトとして前記所定のファイルのアイコンを表示する指示を前記表示制御手段に出力することを特徴としたものである。
【００１９】
第１１の技術手段は、第１の技術手段において、前記複数の通信手段のいずれかで前記識別情報を読み取ったときに、前記非接触カードに記録されている所定のファイルをコピーするファイルコピー手段を備え、前記表示座標指示手段は、前記表示オブジェクトとして前記所定のファイルのアイコンを表示する指示を前記表示制御手段に出力することを特徴としたものである。
【００２０】
第１２の技術手段は、第１０又は第１１の技術手段において、前記表示座標指示手段は、前記識別情報の読み取りを最初に又は前回行ってから経過した時間が所定時間に達した時点での、前記識別情報の読み取りを最後に行った通信手段の配設位置に応じて、前記アイコンの表示座標を決定することを特徴としたものである。
【００２１】
第１３の技術手段は、第１〜第１２のいずれかの技術手段において、前記複数の通信手段のいずれかで前記識別情報を読み取ったときに、まず前記非接触カードに記録されている設定情報を読み出す設定情報読出手段を備え、前記表示座標指示手段は、前記設定情報読出手段で読み出された設定情報に基づいて、前記表示オブジェクトを決定することを特徴としたものである。
【００２２】
第１４の技術手段は、第１〜第１３のいずれかの技術手段において、前記複数の通信手段のいずれかによって前記識別情報が読み取られたときに、該読み取られた識別情報を認証する認証手段を備え、前記表示座標指示手段は、前記認証手段で認証が成功した場合のみ、前記表示制御手段への指示を出力することを特徴としたものである。
【００２３】
第１５の技術手段は、第１４の技術手段において、前記認証手段は、前記識別情報の読み取りを行った通信手段に依らず共通の認証方式を用いることを特徴としたものである。
【発明の効果】
【００２４】
本発明によれば、表示装置を備えた情報処理装置において、操作者であるユーザが正規のユーザであるかの判定と、表示オブジェクトの表示と、表示オブジェクトの表示位置や大きさの指定とを、一度の操作で容易に実行させることができる。
【発明を実施するための最良の形態】
【００２５】
図１は、本発明の一実施形態に係る情報処理装置の一例を示す外観図である。図１で例示する情報処理装置は、表示装置１０と、表示装置１０に接続されたＰＣ等の制御装置（図示せず）とを備えた情報表示装置であり、主として会議などでの利用に好適な情報表示システム（以下、単に「表示システム」という）である。
【００２６】
ここで例示する表示装置１０は、その画像データを表示する薄型且つ大型のＬＣＤ（Liquid Crystal Display）パネル等の表示手段１１に加え、表示手段１１の画面の前面側に設けられ、表示手段１１で表示された情報に対する操作を行うためのタッチパネル１２を備えている。タッチパネル１２は、タッチペンや指などによりタッチされた位置の座標を入力する装置であり、制御装置にその操作信号（座標を示す信号等）を送るよう構成しておくとよい。タッチパネル１２は、ＬＥＤ（Light Emitting Diode）アレイとフォトトランジスタアレイを表示手段１１のフレームに設けておき、遮られた光を検出するなど、様々な構成及び座標検出方式が採用できる。なお、本発明に係る情報処理装置はこの表示手段１１に相当する表示装置を備えていればよく、タッチパネル１２は具備しなくてもよい。
【００２７】
制御装置は、表示対象となる画像データを表示手段１１に送り、表示手段１１に表示させる制御を行う表示制御手段を有する。また、この制御装置は、表示装置１０に内蔵しても外付けしてもよい。
【００２８】
この表示システムは、図１で例示するように、表示装置１０及び制御装置の他に、表示装置１０を支持するための台座（スタンド）２０と、台座２０に収納されたプリンタ４２及びスキャナ装置４１とを備えている。なお、台座２０はこの表示システムに設けなくてもよい。また、スキャナ装置４１やプリンタ４２等の画像処理装置を具備しないシステム構成としてもよい。
【００２９】
表示装置１０を支持する台座２０は、左右一対の脚部２１と、基台２２と、基台キャスター（移動用車輪）２３とを備えている。一対の脚部２１は、基台２２と表示装置１０とを連結するために設けられたものである。基台キャスター（移動用車輪）２３は、表示装置１０を含む表示システム全体の移動を容易にするために、基台２２の底部に設けられたものである。
【００３０】
プリンタ４２は、基台２２上であって一対の脚部２１の間に載置している。また、制御装置を外付けする場合には、例えばプリンタ４２の後方に設置するなどしてもよい。ここでは、表示装置１０の表示画面が視認できる面を表示装置１０の前面側とする。そして表示画面に向かって手前側を本表示システムの前側とし、表示装置１０の背面側を本表示システムの後方とする。
【００３１】
また、台座２０は、図示しない機構により基台２２のプリンタ搭載部分が基台２２に対して前後にスライド可能としておくことが好ましい。プリンタ４２のトナーカートリッジの交換等のメンテナンス時にはこのプリンタ搭載部分を手前に引き出せばよい。このような構成により、台座２０のスペースを有効に利用することができ、表示装置１０の前でプレゼンテーションや会議進行などを行う利用者は、プリンタ４２が邪魔にならずに表示システムを利用することができる。
【００３２】
スキャナ装置４１は、プリンタ４２の上方の脚部２１の内側空間に取り付けられている。スキャナ装置４１は、さらに図示しないレール機構などにより、前方にスライドして引き出し可能に構成されている。また、スキャナ装置４１は、その前面側に、シート状の原稿を挿入して内部に導入するための挿入口と、画像を読み取った後の原稿を排出するための排出口とを構成する２つの開口部を設けておくとよい。挿入口にシート状の原稿を挿入することにより、スキャナ装置４１の給紙搬送機構によって原稿が搬送され、ＣＣＤ（Charge Coupled Device）センサなどによる画像読み取り装置に送られる。そして画像読み取り装置によって画像が読み取られた原稿は、排出ローラにより搬送され、排出口から排出される。
【００３３】
このような構成により、ユーザは、スキャナ装置４１を台座２０の脚部２１の間に収納したままの状態で、スキャナ装置４１の前面側からシート上の原稿の給紙と排出とを行うことができる。また、ブック原稿の画像読み取りやメンテナンスを行う場合には、スキャナ装置４１を前方に引き出してこれらの処理を行うことができる。
【００３４】
また、大型の表示装置１０を支持する台座２０の表示装置１０の下方にスキャナ装置４１やプリンタ４２などのデバイスを収納することにより、表示システムの重心を下方に位置させることができ、これにより表示システムの加重バランスを安定させて、表示システムの転倒防止を図ることができる。このとき、複数のデバイスのうち、他のデバイスより重量の重い電子機器を下方に設けるようにすることが好ましい。
【００３５】
図２は、図１の表示システムの一構成例を示すブロック図で、ここでは図１において台座２０及びタッチパネル１２を除いた部分の構成例を示している。なお、図２では、紙面の都合上、図１と画面のアスペクト比が異なるものを図示している。
【００３６】
図２で例示する表示システムでは、上述の制御装置が、メモリ１３、ＬＣＤコントローラ１４、ＣＰＵ（Central Processing Unit）１５、ハードディスクドライブ（ＨＤＤ）１６、外部機器接続インターフェース（Ｉ／Ｆ）１７、アンテナ群３０、セレクタ３１、及び通信ユニット３２により構成されるものとして説明する。なお、タッチパネル１２はＣＰＵ１５に接続しておくことで、ＣＰＵ１５でその操作信号（座標を示す信号等）が得られる。
【００３７】
ＣＰＵ１５は、表示装置１０の全体の制御を行う。メモリ１３、ＨＤＤ１６は、オペレーションシステム（ＯＳ）を含むプログラムと、そのプログラムで読み出し可能なデータとを記憶する。メモリ１３は、例えばＯＳを記憶したＲＯＭ（Read Only Memory）とプログラムの実行領域（作業領域）としてのＲＡＭ（Random Access Memory）とで構成するとよく、ＨＤＤ１６はそれ以外のプログラムやデータを格納しておくとよい。
【００３８】
また、外部機器接続Ｉ／Ｆ１７に、スキャナ装置４１やプリンタ４２を接続しておくことで、ＣＰＵ１５から画像読み取り命令や、ＨＤＤ１６内の画像等を印刷対象として印刷命令をかけることも、読み取った画像を取得することもできる。また、外部機器接続Ｉ／Ｆ１７は、ＮＩＣ（Network Interface Card）等で構成できる。このようなネットワーク通信手段を設けておくことで、図示しないＷＥＢサーバ、ファイルサーバ、クライアントＰＣなどとネットワーク接続することもできる。
【００３９】
以下、表示手段１１としてＬＣＤパネルを挙げて説明する。但し、表示手段１１としては、ＬＣＤの他に、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）等の表示手段を適用することができる。ＬＣＤパネル１１は、ＬＣＤコントローラ１４で制御され、画像表示を行う。ＬＣＤコントローラ１４は、ＣＰＵ１５に制御されてＬＣＤパネル１１の表示を制御する。
【００４０】
このように、上述の表示制御手段は、主としてＣＰＵ１５及びＬＣＤコントローラ１４で例示できる。表示オブジェクト（表示画像）は、例えばＨＤＤ１６等に格納しておいたものを、ＣＰＵ１５で読み出せばよい。
【００４１】
アンテナ群３０、セレクタ３１、及び通信ユニット３２は、本発明の主たる特徴の一つとして、非接触カードを用いた表示位置指定操作が可能なよう組み込まれた操作手段の一例である。なお、この表示システムでは、タッチパネル１２で例示したように他の操作装置を具備しておき、それを用いた操作も可能としてもよい。例えば、キーボード、マウスなどの操作装置を具備してもよい。但し、後述する表示オブジェクトの位置決定処理を必要とする操作は、非接触カードを用いてこの操作手段でなされるよう構成することで、ユーザ操作性が良いという本発明の利点を生かすことができる。
【００４２】
アンテナ群３０は、Ｎｏ.１〜９の９つのアンテナ３０ａ，３０ｂ，３０ｃ，・・・でなり、非接触カードに記録された識別情報を非接触で読み取る複数の通信手段の一例である。各通信手段は、少なくとも識別情報の読み取りのために配設され、好ましくは非接触カードと無線通信を行い識別情報とは異なる他の情報（他情報と呼ぶ）を読み書きするために配設されている。以下、これらのアンテナ３０ａ，・・・のうち不特定のアンテナを指すときは符号３０ｎを使用する。各アンテナ３０ｎがそれぞれ一つの通信手段の一例に該当する。そして、９つのアンテナ３０ｎは、表示装置１０の表示画面（この例ではＬＣＤパネル１１の表示画面）の背後（背面）の所定の位置に、例えばマトリクス状に配設されているものとする。
【００４３】
また、９つのアンテナ３０ｎは、正当な位置のいずれかに非接触カードを近づけたときに、２以上のアンテナ３０ｎでそれを同時に検知（検出）することがないような位置に配置する。また、画面の各領域において同じ設置密度となるように、均一に各アンテナ３０ｎを配置することが好ましい。勿論、アンテナ群３０に含まれるアンテナ３０ｎの数は９個に限らず、その配置もマトリクス状に限ったものではない。
【００４４】
ここで、表示画面の背後とは、最前面に設けた透明パネルの背後やその透明パネル内部も含むものとする。さらに、各アンテナ３０ｎは、表示画面の背後に限らず、表示装置１０の所定の位置にそれぞれ配設されていればよく、表示画面のさらに前側（表側）に設けてもよい。例えば、表示表面の表側にガラスを設けて、そのガラス上に透明の導電性部材でアンテナ３０ｎを形成するとよい。
【００４５】
さらに、上述の制御装置には、複数のアンテナ３０ｎを制御する通信制御手段が設けられている。この通信制御手段は、複数のアンテナ３０ｎのいずれかに非接触カードが近接されたときに、その非接触カードからの識別情報の読み取りを行い、必要に応じて、その非接触カードとの間で他情報の通信を行うよう、その非接触カードが近接されたアンテナ３０ｎを制御する。セレクタ３１、通信ユニット３２、ＣＰＵ１５は、この通信制御手段の一例である。セレクタ３１は、複数のアンテナ３０ｎからの入出力を時分割で切り替えて、１つの通信ユニット３２に複数のアンテナ３０ｎを接続する。通信ユニット３２は、アンテナ３０ｎを介して非接触カードとの通信を行う。さらに、通信ユニット３２はＣＰＵ１５に接続されており、ＣＰＵ１５に識別情報や他情報を渡すことや、ＣＰＵ１５経由で他情報を受け取ることが可能となっている。
【００４６】
なお、ここでは非接触カードがアンテナ３０ｎに近接したときに、アンテナ３０ｎからの電波に応じて識別情報を返信することを前提としているが、カード側のアンテナから自発的に識別情報を送信するように非接触カードを構成し、アンテナ３０ｎもそれに対応させるとよい。
【００４７】
さらに、上述の制御装置は、本発明の主たる特徴の１つとして、次の表示座標指示手段を備える。この表示座標指示手段は、識別情報の読み取りを行った１又は複数の通信手段の配設位置に応じて表示オブジェクトの表示座標を決定し、決定した表示座標でその表示オブジェクトの表示を行う指示を、上述の表示制御手段に出力する。例えば、この表示座標指示手段としてＣＰＵ１５を機能させるための表示座標指示プログラムを、上述のプログラムの一部として組み込むことで、実装できる。
【００４８】
図２の構成例では、ＣＰＵ１５が、識別情報の読み取りを行った１又は複数のアンテナ３０ｎの配設位置に応じて表示オブジェクトの表示座標を決定し、決定した表示座標でその表示オブジェクトの表示を行う指示を、ＬＣＤコントローラ１４に出力する。表示オブジェクトの表示座標とは表示オブジェクトの表示位置を示す座標を指す。これにより、ＬＣＤパネル１１上に、その指示に基づいた位置で表示オブジェクトが表示される。表示オブジェクトとしては、アイコンや表示用ウインドウ（アプリケーションの実行画面を含む）等が該当する。表示オブジェクトは上述のごとくＨＤＤ１６から読み出せばよく、その読み出し例については後述する。
【００４９】
決定される表示位置の例として、図２ではそれぞれアンテナ３０ａ，３０ｂ，３０ｃ，・・・の位置と一致させたＬＣＤパネル１１上の表示位置５０ａ，５０ｂ，５０ｃ，・・・を挙げている。例えば、或るアンテナ３０ｎのみで識別情報を読み取った場合、そのアンテナ３０ｎの位置に対応した表示位置５０ｎに表示オブジェクトの表示を行うことになる。ここで、表示位置５０ｎとは、これらの表示位置５０ａ，・・・のうち不特定の表示位置を指す。複数のアンテナ３０ｎで識別情報を読み取ったときの例は後述する。
【００５０】
また、各表示位置は、例えば表示オブジェクトの左上の表示座標１つで定義し、大きさを全く考慮しなくてもよい。より具体的には、表示位置５０ａをアンテナ３０ａの位置（アンテナ３０ａの設置座標）に含まれる座標（ｘ１，ｙ１）として、表示位置５０ｂをアンテナ３０ｂの位置に含まれる座標（ｘ２，ｙ２）として、といった具合に定義しておくとよい。また、各表示位置は、例えば表示オブジェクトの左上及び右下の２つの表示座標でその領域を定義付けておいてもよい。例えば、Ｎｏ．６のアンテナ３０ｆに対する表示位置５０ｆで例示するように、描画開始座標（ｘ６ａ，ｙ６ａ）及び描画終了座標（ｘ６ｂ，ｙ６ｂ）として定義しておくとよい。後述する各例では、このように２つの座標で定義した例を採用して説明する。
【００５１】
以上、説明したように、本発明の表示システムによれば、非接触カードを表示画面上のユーザが望む位置にかざす（近接させる）といった一度の操作だけで、（I）識別情報を得ることで操作者であるユーザが正規のユーザであるかの判定が実行でき、（II）ファイルアイコン等のアイコンやアプリケーション実行画面等の表示用ウインドウといった表示オブジェクトを表示させることができ、（III）その表示オブジェクトの表示位置も指定することができる。従って、本発明の表示システムによれば、ユーザの作業が少なくて済み、結果としてユーザ操作性を向上させることができる。
【００５２】
上記（I）については、正規の非接触カードでなければ識別情報が得られないため、その後の処理を実行しなければよく、また正規のフォーマットの識別情報でなかった場合にもその後の処理を実行しなければよい。また、次に説明するように、識別情報を用いた正式な認証を実行することで、一度の操作だけで上記（II），（III）と同時に認証まで実行できるようになる。
【００５３】
認証を実行するために、上述の制御装置は、複数の通信手段のいずれかによって識別情報が読み取られたときに、その読み取られた識別情報を認証する認証手段を備える。認証用のデータ（認証情報と呼ぶ）を例えばメモリ１３又はＨＤＤ１６に格納しておき、ＣＰＵ１５が読み取られた識別情報との比較を行うとよい。そして、表示座標指示手段は、認証手段で認証が成功した場合のみ、表示制御手段への指示を出力する。勿論、認証が失敗した場合には、表示座標決定処理自体も実行しないよう構成しておくことが好ましい。例えば、通信ユニット３２が、複数のアンテナ３０ｎのいずれかを介して識別情報が入力されると、ＣＰＵ１５にその識別情報を渡し、ＣＰＵ１５が特定の認証情報と一致するか否かを判定し、一致する場合にのみＬＣＤコントローラ１４に対して表示位置を指定した表示オブジェクトの表示指示を出力するとよい。また、非接触カード６０との他情報の通信も、一致する場合のみ許可するよう制御するとよい。一方、認証に失敗した場合、ＣＰＵ１５はその近接させた操作を無視するか、或いは認証が失敗して操作できない旨をＬＣＤパネル１１に表示させるなどしてもよい。
【００５４】
また、この認証手段は、識別情報の読み取りを行ったアンテナ３０ｎに依らず共通の認証方式を用いて認証処理を実行するものとする。すなわち、この認証手段における認証処理は、各通信手段（ここではアンテナ３０ｎ）に対して共通の手段で実行されることとなる。
【００５５】
次に、本発明において操作に用いる非接触カードについて説明する。図３は、図２における操作手段に対して操作可能な非接触カードの一構成例を示すブロック図である。非接触カード６０は、非接触方式の電子カードであり、ＩＣカードが例示できる。
【００５６】
図３で例示する非接触カード６０は、アンテナ６１、ＣＰＵ６２、及びメモリ６３を備える。カード側アンテナ６１は、アンテナ群３０のいずれかのアンテナと電磁波で通信を行う。カード側ＣＰＵ６２、カード側メモリ６３は、カード側アンテナ６１で受信した電磁波を供給電力として動作し、カード側メモリ６３に記憶された情報をアンテナ群３０のいずれかのアンテナに送信する。この情報の一つとして識別情報６３ａがカード側メモリ６３に記憶されている。識別情報６３ａは、非接触カード６０を所持するユーザに対して一対一に付与されるＩＤ情報である。若しくは、アンテナ群３０からの情報をカード側メモリ６３に記憶するような処理も可能である。
【００５７】
また、カード側メモリ６３には、識別情報６３ａ以外の他情報として、情報６３ｂ〜６３ｉが記憶された例を示している。これらの情報６３ｂ〜６３ｉのいずれか１又は複数が通信制御手段によって上述の他情報として非接触カード６０から読み取られることとなる。
【００５８】
また、ＨＤＤ１６（又はメモリ１３）には、ＣＰＵ１５で実行可能なように、複数のアプリケーションが実行可能に組み込まれていることが好ましい。情報６３ｂ〜６３ｉは、他情報として取得し、この複数のアプリケーションのいずれかで使用する目的で格納された情報である。つまり、通信制御手段は、他情報として、各アプリケーションのそれぞれに必要な情報を通信するよう制御する。
【００５９】
この表示システム（情報処理装置）に、アプリケーション群として、プレゼンテーション（プレゼン）用アプリケーション、ファイラ、ＷＥＢブラウザ、メーラ、プリンタドライバ、スキャナドライバが組み込まれている場合を想定する。そのとき各アプリケーションに必要な情報とは、それぞれ、プレゼンファイル（又は何も無し）、ファイルの格納先、ＵＲＬ、電子メールアドレス、プリンタ名、デバイス名、デバイス名などとなる。なお、例えば１つのアプリケーションのみインストールされていてもよい。
【００６０】
ＵＲＬ（Uniform Resource Locators）６３ｂは、ＷＥＢブラウザに入力してＷＥＢページの表示に利用する。なお、ＵＲＬ６３ｂの代わりにＵＲＮ（Uniform Resource Name）を用いてもよく、所謂ＵＲＩ（Uniform Resource Identifiers）を用いればよい。サーバ名６３ｃは、ファイラに入力してサーバ装置に保存されているファイル一覧を表示させるときに利用する。ここで一覧表示されるファイルの種類とは、プレゼンファイル等の文書ファイルや画像ファイルだけでなく、フォルダファイルも含むとよい。ファイラとは、記憶装置の中を階層的に表示し、ファイルやフォルダを操作するためのアプリケーションである。ファイル名６３ｄは、ＨＤＤ１６内のファイルを特定できる名前を指し、ファイラに入力してそのファイルが含まれるフォルダ内のファイル一覧を表示させたり、ファイラに入力してファイル自体を開くときに利用する。デバイス名６３ｅは、プリンタ４２やスキャナ装置４１等の周辺機器の名称であり、プリンタドライバやスキャナドライバを操作するときに指定するプリンタ名、スキャナ名を示す。Ｅメールアドレス６３ｆは、メーラに入力してＥメールの送信先を指定するときに利用する。ユーザＩＤ・パスワード６３ｇは、サーバ装置内のファイル閲覧やＷＥＢページを開く際に本人認証に必要な情報である。また、ファイル６３ｈは、プレゼンファイルなどのデータファイルであり、本表示システムにコピーして、そのアイコン又はそのファイル自身を表示する際に利用する。設定情報６３ｉの内容については後述する。
【００６１】
図４は、図２のＨＤＤに格納された情報の一例を示す図である。また、図５は、図２の表示システムにおいて実行される処理の一例を説明するためのフロー図で、図６〜図８は、図５の処理例において、表示される表示画面の例を示す図である。
【００６２】
図４に例示するように、ＨＤＤ１６（又はメモリ１３）には、ユーザ認証用にユーザ情報テーブル（利用者情報テーブル）１６ａが格納されていると共に、ウインドウ座標設定テーブル１６ｂが格納されている。
【００６３】
ユーザ情報テーブル１６ａは、この表示システムを利用可能か否かの認証を行うために利用するＩＤ情報を格納したテーブルであり、このＩＤ情報は、上述の認証手段での認証情報に該当する。ユーザ情報テーブル１６ａには、例えばユーザＡに対するＩＤ情報Ａ、ユーザＢに対するＩＤ情報Ｂのように、ユーザ毎のＩＤ情報のリストを格納しておけばよい。ＩＤ情報を格納する対象のユーザは、例えばこの表示システムを所有する部署の所属員などとすればよい。
【００６４】
ウインドウ座標設定テーブル１６ｂは、識別情報６３ａを読み出したアンテナ３０ｎと表示オブジェクト座標５０ｎの対応関係を示すテーブルである。例えば、Ｎｏ．１のアンテナ３０ａに対しては（Ｘ１ａ，Ｙ１ａ）−（Ｘ１ｂ，Ｙ１ｂ）などと規定しておく。ＣＰＵ１５は、アンテナ３０ｎで非接触カードを検知し、識別情報６３ａを読み出したら、このテーブル１６ｂを参照して、表示オブジェクトの表示座標を決定する。
【００６５】
図５及び図６を参照して、図４のごとき情報を参照しながらこの表示システムで実行される処理について例示する。まず、通信ユニット３２で、いずれかのアンテナ３０ｎで非接触カードＡ（６０ａ）からの電波が受信されるのを待つ（ステップＳ１）。図６の上段の表示画面５１で例示するようにいずれかのアンテナ３０ｎから電波を受信したとき（ステップＳ１でＹＥＳとなったとき）、通信ユニット３２は非接触カード６０に記憶されている識別情報６３ａを読み出してＣＰＵ１５に渡す（ステップＳ２）。
【００６６】
続いて、ＣＰＵ１５が、ウインドウ座標設定テーブル１６ｂを参照し、識別情報６３ａの読み取りを行ったアンテナ３０ｎ（この例ではアンテナ３０ａ）の配設位置に応じて、表示オブジェクトの表示座標を決定（特定）する（ステップＳ３）。続いて、ＣＰＵ１５が、通信ユニット３２からいずれのアンテナ３０ｎでも非接触カード６０ａからの電波を受信していないか否かを判定する（ステップＳ４）。すなわち、非接触カード６０ａが画面から離されて非接触カード６０ａを検出しなくなったか否かを判定する。ステップＳ４でＮＯの場合には、ステップＳ３の処理を再度行い、表示座標を再決定する。
【００６７】
ここで、ステップＳ４の判定は、時間を制限して行うとよい。つまり、表示座標指示手段は、識別情報６３ａの読み取りを最初に又は前回行ってから経過した時間が所定時間に達した時点での、識別情報６３ａの読み取りを最後に行ったアンテナ３０ｎの配設位置に応じて、表示オブジェクトの表示座標（表示領域を特定するための座標）を決定するとよい。そして、いずれのアンテナ３０ｎでも非接触カード６０ａを検出しなくなったタイミングで、次のステップＳ５へ進む。
【００６８】
このようにして座標を特定した後、ＣＰＵ１５は、この識別情報６３ａが、ユーザ情報テーブル１６ａを参照し、そこに記憶されているユーザ情報のいずれかと一致するか否かを判定（照合）することで、ユーザ認証を行う（ステップＳ５）。ステップＳ５において、非接触カード６０ａに記憶されている識別情報６３ａがユーザ情報のいずれとも一致しなかった場合には、ＣＰＵ１５がＬＣＤコントローラ１４を制御し、ユーザ認証失敗としてエラー表示を行い（ステップＳ６）、ステップＳ１に戻り、次の操作を待つ。
【００６９】
一方、ステップＳ５で一致したと判定された場合、ＣＰＵ１５は、表示オブジェクトの画像データをＨＤＤ１６から読み出して、非接触カード６０ａを検知したアンテナ３０ｎ（この例ではアンテナ３０ａ）に応じてステップＳ３で最終的に特定した表示座標を設定し、その表示座標で予め定められた表示領域（図２の例ではアンテナ３０ｎの位置と一致する領域）にその表示オブジェクトを表示するよう、ＬＣＤコントローラ１４に出力する（ステップＳ７）。ここで、最終的に特定した表示座標とは、最後に非接触カード６０ａを検知したアンテナ３０ｎ（この例ではアンテナ３０ａ）の配設位置に応じた表示座標を指す。続いて、ＬＣＤコントローラ１４がＬＣＤパネル１１を制御してその表示オブジェクトをその表示位置に表示する（ステップＳ８）。
【００７０】
表示オブジェクトとして予め新規プレゼンファイルのアイコンが定められている場合を例に挙げると、ステップＳ８により、図６の下段のように、表示画面５１のアンテナ３０ａに対応する位置（表示位置５０ａ）に新規プレゼンファイルを開くためのアイコン５１ａが表示される。ここで、新規プレゼンファイルは、少なくともステップＳ５でＹＥＳとなった後に、ＣＰＵ１５がプレゼン用アプリケーションを読み出して新規に作成する。新規に作成するファイルの種類は予め制御装置に設定しておけばよい。
【００７１】
このように、上述の制御装置には、複数のアンテナ３０ｎのいずれかで識別情報６３ａを読み取ったときに、所定のファイルを生成するファイル生成手段を備えることが好ましい。ここで、ステップＳ４での判定時間の間に１つの所定ファイルを生成すればよい。そして、表示座標指示手段が、表示オブジェクトとしてその所定のファイルのアイコンを表示する指示を表示制御手段に出力するとよい。
【００７２】
ステップＳ８の後は、ステップＳ１に戻り、次の操作を待つ。なお、ステップＳ５（及びＮＯの場合のステップＳ６）の処理はステップＳ２の直後に実行し、ステップＳ４でＹＥＳの場合にステップＳ７へ進むようにしてもよい。
【００７３】
図７及び図８を参照して、表示オブジェクトとして予めファイラの実行画面が定められている場合を例に挙げて説明する。上述の制御装置にファイラが実行可能に組み込まれており、ファイラでの表示対象となるファイルも読み出し可能な状態でＨＤＤ１６に格納されているものとする。
【００７４】
この場合、ステップＳ７においてＨＤＤ１６から単に表示オブジェクトを読み出す代わりに、ＣＰＵ１５は、ファイラを起動させてその実行画面（表示用ウインドウ）を生成し、その実行画面の画像データと最終的に特定した表示座標で予め定められた表示領域とを、その表示領域にその実行画面を表示するように、ＬＣＤコントローラ１４に出力する。実行画面の画像データは、図９等を参照しながら後述するが、ファイラでファイル抽出を行いその結果で生成すればよい。
【００７５】
そして、ステップＳ８により、図７の下段のように、表示画面５１のアンテナ３０ａに対応する位置（表示位置５０ａ）にファイラの実行画面５１ｂが表示される。ここで、実行画面５１ｂは、ステップＳ５で認証した結果のユーザが日頃使用しているフォルダ内のファイルやサブフォルダが表示されていることが好ましい。そのため利用者情報テーブル１６ａでフォルダ名を対応づけておくとよい。本表示システムにサーバ装置（図示せず）、すなわちファイルサーバが１又は複数台、ネットワーク接続されている場合には、フォルダ名の代わりにサーバ名（及びフォルダ名）を対応づけておいてもよい。
【００７６】
図７の下段の表示画面５１の表示状態で、別のユーザが非接触カードＢ（６０ｂ）をアンテナ３０ｉに近接させた場合には、再度図５の一連の処理が実行される。その結果、図８の下段のように、実行画面５１ｂの表示はそのままに、表示画面５１のアンテナ３０ｉに対応する位置（表示位置５０ｉ）にファイラの実行画面５１ｃが表示される。
【００７７】
図７及び図８で例示したように、表示座標指示手段は、表示オブジェクトの表示座標として表示用ウインドウの表示座標を決定し、決定した表示座標でその表示用ウインドウの表示を行う指示を、表示制御手段に出力するようにしてもよい。図８で例示したように、複数人で同じ本表示システムを利用する場合にも、それぞれの好みの位置に所定の表示オブジェクトの表示を行うことができる。
【００７８】
図９は、図２の表示システムにおいて実行される処理の他の例を説明するためのフロー図で、図１０は、図９の処理例において表示される表示画面の例を示す図で、図１１は、図１０の表示画面において１つのアイコンを選択したときの表示画面の例を示す図である。表示用ウインドウはその表示領域を大きくして表示させることが好ましい。そのため、非接触カードの検知に応じて表示領域を可変できるようにするとよい。図９〜図１１を参照して、図７の下段の表示画面５１の状態からの操作を例に挙げて説明する。
【００７９】
まず、ステップＳ１，Ｓ２と同様の処理を実行し（ステップＳ１１，Ｓ１２）、ＣＰＵ１５が、ウインドウ座標設定テーブル１６ｂを参照し、識別情報６３ａの読み取りを最初に行ったアンテナ３０ｎ（この例ではアンテナ３０ｉ）の配設位置に応じて、表示オブジェクトの第１の座標を決定（特定）する（ステップＳ１３）。続いて、ステップＳ１４の処理（第２座標特定処理）を実行する。
【００８０】
ステップＳ１４の第２座標特定処理は、まずＣＰＵ１５が、通信ユニット３２からいずれかのアンテナ３０ｎで非接触カード６０ｂからの電波を受信したかをの判定を行う（すなわち次の受信を待つ）。そして、同じ識別情報６３ａの読み取りがあったときに、ＣＰＵ１５が、ウインドウ座標設定テーブル１６ｂを参照し、識別情報６３ａの読み取りを行ったアンテナ３０ｎ（この例ではアンテナ３０ｄ）の配設位置に応じて、表示オブジェクトの第２の座標を決定（特定）する。
【００８１】
ステップＳ１４に続いて、ＣＰＵ１５が、通信ユニット３２からいずれのアンテナ３０ｎでも非接触カード６０ｂからの電波を受信していないか否かを判定する（ステップＳ１５）。すなわち、非接触カード６０ｂが画面から離されて非接触カード６０ｂを検出しなくなったか否かを判定する。ステップＳ１５でＮＯの場合には、ステップＳ１４の処理を再度行い、第２の座標を再決定する。
【００８２】
ここで、ステップＳ１５の判定は、時間を制限して行うことが好ましい。つまり、表示座標指示手段は、識別情報６３ａの読み取りを最初に又は前回行ってから経過した時間が所定時間に達した時点での、識別情報６３ａの読み取りを行った複数のアンテナ３０ｎの配設位置に応じて、表示用ウインドウの対角座標（表示領域を特定するための対角座標）を決定するとよい。そして、いずれのアンテナ３０ｎでも非接触カード６０ｂを検出しなくなったタイミングで、次のステップＳ１６へ進む。
【００８３】
このように、表示座標指示手段は、複数のアンテナ３０ｎのうち複数で同じ識別情報６３ａの読み取りが続けて行なわれたことを検知すると、その読み取りを行った複数のアンテナ３０ｎ（この例では最初のアンテナ３０ｉと最後のアンテナ３０ｄ）の配設位置に応じて、表示用ウインドウの対角座標（対角座標位置）を決定してもよい。
【００８４】
このようにして第１及び第２の座標を特定した後、ステップＳ５と同様にユーザ認証を行う（ステップＳ１６）。ステップＳ１６でＮＯの場合にはステップＳ６と同様にエラー表示を行い（ステップＳ１７）、ステップＳ１１に戻り、次の操作を待つ。
【００８５】
一方、ステップＳ１６で一致したと判定された場合、ＣＰＵ１５は、ファイラを起動させてその実行画面（表示用ウインドウ）を生成し、その実行画面の画像データと最終的に特定した対角座標（この例では最初と最後に検知したアンテナ３０ｉ，３０ｄで特定した対角座標）で決まる表示領域とを、その表示領域にその実行画面を表示するように、ＬＣＤコントローラ１４に出力する（ステップＳ１８）。続いて、ＬＣＤコントローラ１４がＬＣＤパネル１１を制御してその実行画面５１ｄ（但し、中のアイコンはこの時点で未表示）をその表示領域（表示位置）に表示する（ステップＳ１９）。このように、表示座標指示手段は、決定した対角座標でその表示用ウインドウの表示を行う指示を、表示制御手段に出力するとよい。このような指示により、表示オブジェクトの表示位置の指定だけでなく、表示の大きさの指定も可能となる。
【００８６】
そして、ファイラが実行画面５１ｄ内に表示するファイル群を抽出し（ステップＳ２０）、抽出したファイル群に対応するアイコン群の画像データを実行画面５１ｄ内に納めるように、ＣＰＵ１５がＬＣＤコントローラ１４に出力する（ステップＳ２１）。ステップＳ２０においては、図７を参照して説明したように利用者情報テーブル１６ａでフォルダ名やサーバ名などを対応づけておき、ステップＳ１６で認証した結果のユーザが日頃使用しているフォルダ内のファイルやサブフォルダを抽出するとよい。その結果、図１０の下段のように、実行画面５１ｂの表示はそのままに、表示画面５１のアンテナ３０ｉからアンテナ３０ｄに対応する対角領域にファイラの実行画面５１ｄが表示される。
【００８７】
なお、表示オブジェクトとして表示用ウィンドウが表示される場合には特に、特定された表示領域で他のオブジェクトとの表示が重なる場合もないとは言えない。その場合には、他のオブジェクトに上書きする形で表示させればよく、また他のオブジェクトの表示領域を必要に応じて小さくするなどしてもよい。
【００８８】
ステップＳ２１の後は、ステップＳ１１に戻り、次の操作を待つ。なお、ステップＳ１６（及びＮＯの場合のステップＳ１７）の処理はステップＳ１２の直後に実行し、ステップＳ１５でＹＥＳの場合にステップＳ１８へ進むようにしてもよい。
【００８９】
上述したステップＳ１４の受信の判定に関し、受信を待つ時間は制限することが好ましい。時間を経過した後には、第２の表示座標を特定できなかったとして、ステップＳ１８でそのまま第１の表示座標のみで表示領域を設定してステップＳ１９以降の処理を実行すればよい。また、ステップＳ１５の処理に関し、非接触カード６０ｂが画面から離れる前のカード移動途中で第１及び第２の座標を特定し、逐次、特定した対角座標に基づきステップＳ１８以降の処理を実行するように制御してもよい。これにより、ユーザは表示オブジェクトの大きさの変位を見ながら大きさを決めることができる。
【００９０】
また、ステップＳ２１の処理後には、ユーザが実行画面５１ｄ内に表示された或るプレゼンファイルＡのアイコンを、タッチパネル１２等の他の操作手段で選択操作することができる。図１１に示すように、このような選択操作により開くプレゼンファイルＡの実行画面５１ｅも、実行画面５１ｄと同じ表示領域に表示させることが好ましい。
【００９１】
ここで、ステップＳ２０に関し、上述した利用者情報テーブル１６ａでフォルダ名やサーバ名を対応づけておく例以外の、ファイラにおけるファイルの抽出処理例について説明する。まず、ユーザが予め非接触カード６０ｂ内に、ファイル名６３ｄを記憶させておく。
【００９２】
そして、上述の制御装置は、複数のアンテナ３０ｎのいずれか識別情報６３ａを読み取ったときに、非接触カード６０ｂ内のメモリ６３の所定のアドレスからファイル名６３ｄを読み出し、ファイラを起動させてそのファイル名６３ｄを渡すファイラ起動手段を備える。このファイラ起動手段は、例えばファイラ起動アプリケーションとして実行可能に組み込むとよい。ファイル名６３ｄの読み出しは、ＣＰＵ１５が通信ユニット３２、セレクタ３１を介し、その非接触カード６０ｂが近接された一つのアンテナ３０ｎを制御することで実現できる。つまりファイル名６３ｄの読み出しは、通信制御手段で実行できる。
【００９３】
起動したファイラは、ＨＤＤ１６内のファイル名６３ｄが示すファイルにアクセスして、そのファイルが存在するフォルダを開いて、フォルダ内のファイルやサブフォルダを抽出する。このようにして、抽出されたファイル群を示すファイラの実行画面（ファイル名の格納場所を示すフォルダの表示画面）に対し、表示座標指示手段は、その実行画面の表示座標を決定し、決定した表示座標でその実行画面の表示を行う指示を表示制御手段に出力するとよい。このようにして、非接触カード６０から読み出したファイル名６３ｄに基づきファイラの表示制御を行うことができる。なお、ファイル名６３ｄの代わりにフォルダ名を非接触カード６０ｂに記憶させておいてもよく、その場合には、そのフォルダを開き、そのフォルダ内のファイルやサブフォルダを抽出するとよい。
【００９４】
また、ＨＤＤ１６に格納されているファイルをファイラでの表示対象としてもよいが、この表示システムに、複数のファイルを記憶した１又は複数台のファイルサーバがアクセス可能にネットワーク接続されている場合について説明する。このようなシステム構成に組み込まれたファイラは、ファイルサーバ内に記憶されたファイル群に対してもＨＤＤ１６に対する処理と同様の処理を実行できる。なお、上述の制御装置に接続された第２の情報処理装置をサーバとしてもよい。
【００９５】
上述の制御装置は、複数のアンテナ３０ｎのいずれか識別情報６３ａを読み取ったときに、非接触カード６０ｂ内のメモリ６３の所定のアドレスからファイルサーバを特定するための特定情報を読み出し、ファイラを起動させてその特定情報を渡すファイラ起動手段を備える。このファイラ起動手段も、例えばファイラ起動アプリケーションとして実行可能に組み込むとよい。特定情報はサーバ名６３ｃで例示でき、その他、ファイルサーバのＵＲＩであってもよい。サーバ名６３ｃの読み出しはファイル名６３ｄと同様に通信制御手段で実行できる。
【００９６】
起動したファイラは、サーバ名６３ｃで特定されたファイルサーバにアクセスし、そのファイルサーバに記憶されたファイル（フォルダファイルも含む）にアクセスし、その一覧をファイルサーバから得ることでファイル群を抽出する。このようにして、抽出されたファイル群を示すファイラの実行画面（そのファイルサーバのフォルダの表示画面）に対し、表示座標指示手段は、その実行画面の表示座標を決定し、決定した表示座標でその実行画面の表示を行う指示を表示制御手段に出力するとよい。このようにして、非接触カード６０から読み出したサーバ名６３ｃに基づきファイラの表示制御を行うことができる。なお、サーバ名６３ｃの中に更に下層のファイル名等も記憶しておけば、よりそのユーザに合った実行画面が表示できる。
【００９７】
また、非接触カード６０のメモリ６３に検索文字列を記憶しておき、それをファイラ起動手段が読み出して、ファイラに検索文字列として渡すことで、ファイルサーバ内のファイルに含まれる文字列でファイルを検索して、検索結果としてのファイル群を実行画面として表示させることもできる。
【００９８】
次に、サーバ内のファイルの閲覧に際して、ユーザを識別するためのユーザ識別情報（ユーザＩＤとパスワード６３ｇ）を必要とする場合について説明する。この場合、ファイラ起動手段は、例えばサーバ名６３ｃをファイラに渡した後に、非接触カード６０内のメモリ６３の他の所定のアドレスから、ユーザＩＤ・パスワード６３ｇを読み出し、ファイラに渡す。ファイラは、サーバ名６３ｃで示されるサーバ装置の閲覧画面にこのユーザＩＤ・パスワード６３ｇを与える。また、ユーザＩＤ・パスワード６３ｇは非接触カード６０が近接されているうちに読み出しておけばよく、まずサーバ装置にアクセスして正規の状態で表示できないときやユーザＩＤ・パスワード要求画面が表示された時点でサーバ装置に渡してもよい。
【００９９】
図１２は、図２の表示システムにおいて実行される処理の他の例を説明するためのフロー図である。また、図１３は、図１２の処理例において表示される表示画面の例を示す図で、対角座標位置を決定した後、表示領域にプレゼン用アプリケーションの実行画面を表示した例を示している。図１１のような表示を行う際に、最初からユーザが開きたいファイルを決めている場面が考えられる。そのような場面では、一度の操作でそのファイルを画面の大きさまで指定して表示させることが好ましい。そのため、非接触カードの検知に応じて表示領域を可変できるようにするだけでなく、ファイルを非接触カードから読み出すようにするとよい。
【０１００】
図１２及び図１３を参照して、背景のみの表示画面の状態から、ファイル６３ｈを記憶した非接触カードＣ（６０ｃ）をもつユーザが操作する場面を例に挙げる。まず、ステップＳ１１〜Ｓ１３と同様の処理を実行して（ステップＳ３１〜Ｓ３３）、第１の座標を特定する。第１の座標としてアンテナ３０ａに対応する座標が特定されたと仮定する。
【０１０１】
次いで、ＣＰＵ１５が、通信ユニット３２を制御し、非接触カードＣ（６０ｃ）が近接されているアンテナ３０ｎ（この例ではアンテナ３０ａ）を介して非接触カード６０ｃの内部に格納されたファイル６３ｈをＨＤＤ１６内にコピーする（ステップＳ３４）。
【０１０２】
このように、上述の制御装置は、複数のアンテナ３０ｎのいずれかで識別情報６３ａを読み取ったときに、非接触カード６０ｃに記録されている所定のファイル６３ｈをコピーするファイルコピー手段を備えることが好ましい。この手段は、ファイルコピープログラムとして実行可能に組み込んでおくとよい。コピー対象の特定は、非接触カード６０ｃの所定のアドレスで示される格納領域に格納されたファイルとして特定してもよいし、非接触カード６０ｃ内に格納されたファイルの中で所定のファイル形式をもつファイルとして特定してもよい。
【０１０３】
ステップＳ３４に続いて、ステップＳ１４と同様の第２座標特定処理を実行し（ステップＳ３５）、ステップＳ１５と同様の受信していないか否かの判定を行う（ステップＳ３６）。ステップＳ３５，Ｓ３６でも、それぞれステップＳ１４，Ｓ１５と同様に時間を制限しておくとよい。第２の座標としてアンテナ３０ｆに対応する座標が特定されたと仮定する。
【０１０４】
このようにして第１及び第２の座標を特定した後、ステップＳ１６〜Ｓ１９と同様の処理を実行する（ステップＳ３７〜Ｓ４０）。但し、ステップＳ３９では、ファイラの代わりにステップＳ３４でコピーしたファイルの種類に応じたアプリケーションを起動する。また、ステップＳ４０では、その実行画面５１ｆ（但し、中身はこの時点で未表示）が表示画面５１に表示されることとなる。
【０１０５】
ステップＳ４０に続き、ステップＳ３４でコピーしたファイルをＣＰＵ１５がＨＤＤ１６から読み出して、そのアプリケーションがそのファイルを開き、ＣＰＵ１５がそのファイルを開いた画面の画像データを上述の実行画面５１ｆ内に納めるように、ＬＣＤコントローラ１４に出力する（ステップＳ４１）。その結果、図１３の下段のように、表示画面５１のアンテナ３０ａからアンテナ３０ｆに対応する対角領域にそのファイルの実行画面５１ｆが表示される。
【０１０６】
ステップＳ４１の後は、ステップＳ３１に戻り、次の操作を待つ。なお、ステップＳ３７（及びＮＯの場合のステップＳ３８）の処理はステップＳ３２の直後に実行し、ステップＳ３６でＹＥＳの場合にステップＳ３９へ進むようにしてもよい。
【０１０７】
また、ステップＳ３４の処理の順序は少なくともステップＳ３６でＹＥＳとなる前に実行しておけばよい。また、ステップＳ３６の処理に関し、ステップＳ１５の処理で説明したように、非接触カード６０ｂが画面から離れる前のカード移動途中で第１及び第２の座標を特定し、逐次、特定した対角座標に基づきステップＳ３９以降の処理を実行するように制御してもよい。これにより、ユーザはファイル実行画面の大きさの変位を見ながら大きさを決めることができる。
【０１０８】
図１４は、図２の表示システムにおいて実行させる処理において表示される表示画面の他の例を示す図である。図６を参照して、表示オブジェクトとして予め新規プレゼンファイルのアイコンが定められている場合を説明したが、図１２及び図１３で説明したように非接触カードからファイルをコピーして、そのアイコン表示を行ってもよい。
【０１０９】
例えば、図５の処理例において、ステップＳ２の後に図１２のステップＳ３４のごとくファイルを取得し、ＣＰＵ１５が、ステップＳ８の代わりに表示オブジェクトとして取得したファイルのアイコンを表示する指示をＬＣＤコントローラ１４に出力するとよい。これにより、図１４の上段の表示画面５１のようにアンテナ３０ａに非接触カード６０ｃを近接させると、図１４の下段の表示画面５１のようにそれに対応する位置に、元々非接触カード６０ｃ内に記憶されていたファイル６３ｈ（ここではプレゼンファイルＡとしている）を開くためのアイコン５１ｇが表示される。このアイコン５１ｇにファイル６３ｈのコピー先へのリンクを張っておく。ユーザがアイコン５１ｇの選択操作を行うことで、ファイル６３ｈを開くことができる。
【０１１０】
次に、ＷＥＢページを表示する例を挙げる。このＷＥＢページ閲覧操作の前提として、上述の制御装置には、アプリケーションの一つとしてＷＥＢブラウザが実行可能に組み込まれ、インターネット等の広域ネットワークに接続しＷＥＢサーバ等と接続するためのＮＩＣ等のＩ／Ｆが具備されているものとする。
【０１１１】
上述の制御装置は、複数のアンテナ３０ｎのいずれかで識別情報６３ａを読み取ったときに、通信制御手段でその読み取ったアンテナ３０ｎを制御して、その非接触カード６０内のメモリ６３の所定のアドレスからＵＲＩ（ＵＲＬ６３ｂ等）を読み出し、ＷＥＢブラウザを起動させてそのＵＲＬ６３ｂを渡すブラウザ起動手段を備える。このブラウザ起動手段は、例えばブラウザ起動アプリケーションとして実行可能に組み込むとよい。ＷＥＢブラウザがそのＵＲＬ６３ｂで示されるＷＥＢページにアクセスする。表示座標指示手段は、表示用ウインドウの表示座標としてＷＥＢブラウザの実行画面（ＵＲＬ６３ｂで示されるＷＥＢページの表示画面）の表示座標を決定し、決定した表示座標でその実行画面の表示を行う指示を、表示制御手段に出力するとよい。このようにして、非接触カード６０から読み出したＵＲＬ６３ｂに基づきＷＥＢブラウザの表示制御を行うことができる。
【０１１２】
また、非接触カード６０のメモリ６３に検索文字列を記憶しておき、それをブラウザ起動手段が読み出して、ＷＥＢブラウザに検索文字列として渡すことで、ＷＥＢブラウザが、インターネット検索サービスを利用した検索を行い、検索結果としてのリンク一覧を実行画面として表示させることもできる。
【０１１３】
次に、ＷＥＢブラウザでそのＵＲＬ６３ｂで示されるＷＥＢページを閲覧するに際して、ユーザを識別するためのユーザ識別情報（ユーザＩＤとパスワード６３ｇ）を必要とする場合について説明する。この場合、ブラウザ起動手段は、例えばＵＲＬ６３ｂをＷＥＢブラウザに渡した後に、非接触カード６０内のメモリ６３の他の所定のアドレスから、ユーザＩＤ・パスワード６３ｇを読み出し、ＷＥＢブラウザに渡す。ＷＥＢブラウザは、ＵＲＬ６３ｂで示されるＷＥＢページにこのユーザＩＤ・パスワード６３ｇを与える。また、ユーザＩＤ・パスワード６３ｇは非接触カード６０が近接されているうちに読み出しておけばよく、まずＷＥＢページにアクセスして正規の状態で表示できないときやユーザＩＤ・パスワード要求画面が表示された時点でＷＥＢブラウザに渡してもよい。
【０１１４】
次に、電子メールのメーラを表示する例を挙げる。この前提として、上述の制御装置には、アプリケーションの一つとして電子メールのメーラが実行可能に組み込まれ、インターネット等の広域ネットワークに接続しメールサーバ等と接続するためのＮＩＣ等のＩ／Ｆが具備されているものとする。ＷＥＢページの表示処理に対して、ＷＥＢブラウザの代わりにメーラを起動し、ＵＲＬ６３ｂの代わりに送信先のＥメールアドレス６３ｆを読み出すだけで、メール送信画面の表示処理が可能である。ユーザＩＤ・パスワード６３ｇはメールアカウントとして利用することができる。
【０１１５】
次に、プリンタ４２の印刷設定画面表示処理を行う例を挙げる。この前提として、上述の制御装置には、プリンタ４２のプリンタドライバが実行可能に組み込まれ、プリンタ４２が接続されているものとする。ＷＥＢページの表示処理に対して、ＷＥＢブラウザの代わりにプリンタドライバを起動し、ＵＲＬ６３ｂの代わりにプリンタ４２を示すデバイス名６３ｅを読み出すだけで、印刷設定画面の表示処理が可能である。また、スキャナ装置４１のスキャン設定画面表示処理も同様に説明できる。プリンタ４２の代わりにスキャナ装置４１が、プリンタドライバの代わりにスキャナドライバを適用することで、スキャン設定画面の表示処理が可能となる。
【０１１６】
次に、設定情報６３ｉの利用方法について説明する。上述した各例では、図３のメモリ６３内の情報６３ｂ〜６３ｈが格納されているものとして説明した。勿論、予め本表示システム側で表示オブジェクトやその表示オブジェクトの表示時に必要となる情報（非接触カード６０から読み出す情報）を決めておけば、上述の各例のごとき制御が個々に実行できる。しかし、好ましくは１つの表示システムでこれら各例の制御が選択的に実行できることが好ましい。設定情報６３ｉは、そのような選択を行うために参照する情報である。
【０１１７】
ＣＰＵ１５は、識別情報６３ａを受信した時点で、まずこの設定情報６３ｉを通信手段で読み出すとよい。すなわち、上述の制御装置は、複数のアンテナ３０ｎのいずれかで識別情報６３ａを読み取ったときに、まず非接触カード６０に記録されている設定情報６３ｉを読み出す設定情報読出手段を備えるとよい。この設定情報読出手段は、例えば設定情報読出アプリケーションとして実行可能に組み込むとよい。
【０１１８】
そして、表示座標指示手段は、設定情報読出手段で読み出された設定情報６３ｉに基づいて、表示オブジェクトの決定（及びその表示オブジェクトの表示時に読み取りをしておいた方がユーザ操作性が向上する情報６３ｂ〜６３ｈ等の決定）を行うとよい。その後の表示オブジェクトの表示位置決定及び表示指示の出力については説明したとおりである。
【０１１９】
設定情報６３ｉの例を挙げる。まず、表示オブジェクトをアイコンとするのか、表示用ウインドウ（アプリケーション実行画面）とするのか、といった表示オブジェクトの種類を設定しておくとよい。さらに、アイコンの場合には、そのアイコンでリンクされるファイルは非接触カード６０からコピーする必要があるのか、新規に作成すればよいのか、新規に作成する場合にはどのアプリケーションのファイルであるのか、といった情報も、設定情報６３ｉに含めるとよい。また、アプリケーション実行画面の場合には、どのアプリケーションを実行する必要があるのか、そのアプリケーションを実行する際に読み取りをしておいた方がユーザ操作性が向上する情報は情報６３ｂ〜６３ｈのうちどれか、といった情報も、設定情報６３ｉに含めるとよい。
【０１２０】
また、設定情報６３ｉとしては、ファイルを記憶しておき、ファイルコピー手段、ファイラ起動手段、ブラウザ起動手段、ファイル（新規ファイル）生成手段等として、ＣＰＵ１５を機能させるためのプログラムを、ａｕｔｏｅｘｅ．ｂａｔのような自動実行形式で記憶しておいてもよい。これにより、上述の設定情報読出アプリケーションは汎用ＯＳに既に組み込まれていることとなる。各手段としてＣＰＵ１５を機能させるためのプログラムが上述した制御装置に組み込まれているのであれば、どのプログラムを読み出すのかといった自動実行形式のプログラムを記憶しておいてもよい。
【０１２１】
ユーザが、必要に応じて各情報６３ｂ〜６３ｈを記憶させておき、それに合わせて最も近い時期に使用する設定を示す設定情報６３ｉを記憶させておき、使用後には設定情報６２ｉをユーザが自身のＰＣなどで書き換えればよい。
【０１２２】
以上の各例においては、一度表示した表示オブジェクトの位置を移動させる場合には、非接触カード６０を用いた操作手段以外の操作手段で行えばよい。しかし、例えば、一度表示した表示位置に非接触カード６０を近接させる操作を行うことでも、移動可能としてもよい。そのため、表示オブジェクトを表示中に、その表示を行った際に読み取った識別情報６３ａと同じ識別情報６３ａを読み取ったときに（但し、上述した各所定時間が過ぎた後）、再度表示位置（及び大きさ）の決定を行って、決定した位置・大きさで表示オブジェクトを再表示して移動させてもよい。このような制御は、設定情報６３ｉを採用した場合には、設定情報６３ｉが書き換えられない限り可能である。
【図面の簡単な説明】
【０１２３】
【図１】本発明の一実施形態に係る情報処理装置（表示システム）の一例を示す外観図である。
【図２】図１の表示システムの一構成例を示すブロック図である。
【図３】図２における操作手段に対して操作可能な非接触カードの一構成例を示すブロック図である。
【図４】図２のＨＤＤに格納された情報の一例を示す図である。
【図５】図２の表示システムにおいて実行される処理の一例を説明するためのフロー図である。
【図６】図５の処理例において表示される表示画面の一例を示す図である。
【図７】図５の処理例において表示される表示画面の他の例を示す図である。
【図８】図５の処理例において表示される表示画面の他の例を示す図である。
【図９】図２の表示システムにおいて実行される処理の他の例を説明するためのフロー図である。
【図１０】図９の処理例において表示される表示画面の一例を示す図である。
【図１１】図１０の表示画面において１つのアイコンを選択したときの表示画面の例を示す図である。
【図１２】図２の表示システムにおいて実行される処理の他の例を説明するためのフロー図である。
【図１３】図１２の処理例において表示される表示画面の例を示す図である。
【図１４】図２の表示システムにおいて実行させる処理において表示される表示画面の他の例を示す図である。
【符号の説明】
【０１２４】
１０…表示装置、１１…表示手段（ＬＣＤパネル）、１２…タッチパネル、１３…メモリ、１４…ＬＣＤコントローラ、１５…ＣＰＵ、１６…ＨＤＤ、１７…外部機器接続Ｉ／Ｆ、２０…台座、３０…アンテナ群、３０ａ，３０ｂ，３０ｃ，３０ｄ，３０ｅ，３０ｆ，３０ｎ…アンテナ、３１…セレクタ、３２…通信ユニット、４１…スキャナ装置、４２…プリンタ、５０ａ，５０ｂ，５０ｃ，５０ｄ，５０ｅ，５０ｆ，５０ｎ…表示位置、６０…非接触カード、６１…カード側アンテナ、６２…カード側ＣＰＵ、６３…カード側メモリ。
【図１】
2009116166.tif 000003
【図２】
2009116166.tif 000004
【図３】
2009116166.tif 000005
【図４】
2009116166.tif 000006
【図５】
2009116166.tif 000007
【図６】
2009116166.tif 000008
【図７】
2009116166.tif 000009
【図８】
2009116166.tif 000010
【図９】
2009116166.tif 000011
【図１０】
2009116166.tif 000012
【図１１】
2009116166.tif 000013
【図１２】
2009116166.tif 000014
【図１３】
2009116166.tif 000015
【図１４】
2009116166.tif 000016